(57)【要約】      （修正有）【課題】工事現場等での騒音拡散防止、工具、機材の落下による事故防止などのために単管で組んだ足場や構造体に覆いとなるシートを、単管構造体の縦と横の段差を補って平坦にゆがみ無く固定可能な単管用シート固定クランプを提供する。【解決手段】単管構造体の縦と横の単管直径に対応する段差を補う手段として、クランプ本体１０１に備えたハト目穴を通す棹部１０３の長さが、棒状体または第一の管状体と、これを内包する第二の管状体があって、一方が他方に対してスライドし段差の差分だけ伸縮自在の手段１０６を用いている。【選択図】図１
2010196302.tif 000002
【特許請求の範囲】
【請求項１】
単管の凸曲面に対応した凹曲面を有する２枚のアームが１つの支点にある支持ピンを中心に動き、前記２枚のアームで前記単管を挟んで、前記アームを固定するための固定具を前記のアームの前記支点側とは反対側の先端に有するクランプ本体と、前記単管の凸曲面に直角な方向に伸びるように前記クランプ本体に接続し、前記シートを平坦に固定するためであって、長さの調節が可能なように、棒状体または第一の管状体と、これを内包する第二の管状体を有することで、前記棒状体または第一の管状体と前記第二の管状体が相互に自由に摺動するようにした第一の棹部と、
前記クランプ本体と接続する側とは反対の第一の棹部の先端に延設するように１つの端で接続または一体化した第二の棹部と第二の棹部からその軸方向とは直角方向に広がった第一の鍔状部と、
第二の棹部の前記１つの端とは反対側の端に接続しまたは一体化した第三の棹部と、且つ、前記シートを押さえ支持するシート把持部とを有するシート押さえ具と、
を有することを特徴とする単管用シート固定クランプ。
【請求項２】
第二の棹部は、前記棒状体または第一の管状体と第二の管状体の相互間を縮小又は引張するように第一のバネ体を備えたことを特徴とする請求項１記載の単管用シート固定クランプ。
【請求項３】
第一の棹部は、前記棒状体または第一の管状体と前記第二の管状体が相互間に自由に摺動し、所定の長さで摺動を止め固定できるために、前記棒状体または第一の管状体と前記第二の管状体の相互間に凹凸噛み合部又は、前記相互間を押し付ける押し圧固定具を有することを特徴とする請求項１又は請求項２記載の単管用シート固定クランプ。
【請求項４】
第三の棹部を内包する第三の管状体と第三の管状体からその軸方向とは直角方向に広がった第二の鍔状部と、前記第三の管状体に挿入され、第三の棹部にたいする前記第三の管状体の移動を行わせるための第二のバネ体と、を備え、前記シート把持部は、前記第二の鍔状部との間で前記シートを押さえ支持するようにしたことを特徴とする請求項１から請求項３のいずれか１つに記載の単管用シート固定クランプ。
【請求項５】
前記シート押さえ具は、一方が第三の棹部と他方が前記シート把持部との二つの棒状体であり、前記二つの棒状体の一方は凹部、他方は凸部を有し、前記凹部に前記凸部がはまり、前記凹部と前記凸部の接触面に直角に支持した支点のまわりに前記凹部と前記凸部のうち一方が他方に対して回転折れる曲り、戻すことが可能な起伏ノブを有するか、又は、一方が先端にオスねじを有するボルトである第三の棹部と他方が前記シート把持部であって、前記オスねじに噛み合う、前記シートを押さえるよう閉め込むメスねじを有するナットであることを特徴とする請求項１から請求項４のいずれか１つに記載の単管用シート固定クランプ。
【請求項６】
先端にオスねじを有する前記起伏ノブと、前記オスねじに噛み合うメスねじを有しネジ嵌合するキャップとを有し、前記起伏ノブが直角に折り曲がった状態で前記キャップを締めこむか、
又は、前記凹部と前記凸部の接触面の一部に、一方には曲面を有して突出した盛り上がり部、他方は前記曲面を包むよう凹んだ穴部を有し、前記起伏ノブが直角に折り曲がった状態で前記盛り上がり部が前記穴部にはまりこむか、
で前記起伏ノブが緩むことが無く固定されることを特徴とする請求項１から請求項５のいずれか１つに記載の単管用シート固定クランプ。
【発明の詳細な説明】
【技術分野】
【０００１】
本発明は、工事現場等での騒音拡散防止、工具、機材の落下による事故防止などのために単管で組んだ足場や構造体に覆いとなるシートを固定する単管用シート固定クランプに関するものである。
【背景技術】
【０００２】
従来、工事現場では、多くの騒音を発生させること、及び落下物の危険から周辺への迷惑、事故防止のため、単管で足場を組み、シートで養生している。かかる養生シートの例としては、特許文献１に示されている。更に騒音防止の観点から防音シートも出現し販売されている。図３は従来の単管用シート固定クランプを示す図である。特許文献１では、係るシートを固定するクランプとして図３の３−Ａに示すものを提示している。これは、通常の単管に絡み押さえるクランプ本体３０１の平坦なクランプ本体外面３０２にＬ字型のフック３０３を備えたものである。このクランプは、Ｌ字型の形状からシートの周辺にあるハト目穴に差し込むことがやや難しい。ハト目穴に紐を通し、紐をＬ字型のフック３０３に結びつけるのは容易であるが、風に揺れている間に緩みやすい欠点がある。特許文献２に示されたシート用クランプでは、このような欠点を克服できるものと思われる。図３の３−Ｂに示された構造を持っている。クランプ本体３０１に１面から突き出た突杆３０４があり、この先端に起倒自在の係止片３０５があるものである。この場合には係止片３０５を真っ直ぐの位置に起こし、シートのハト目穴を通しておき、係止片３０５を倒せばシートを簡単に固定できる。特許文献１のクランプの欠点は克服できるが、単管で組んだ構造体にシート固定するには、単管構造体の特有の特徴を考慮しなければならない。図４は単管構造体とこれにシートを固定した状態を示す図である。４−Ｂでは、シート４００を単管４０１Ａ、４０１Ｂに、固定具４０２Ａ、４０２Ｂとシート４００に備えたハト目穴４０３を通して固定されている状態を示す。シート４００はゆがみ無く固定され、理想的状態である。このように固定するに障害となる単管構造体の特有の特徴を４−Ａで説明する。横に渡した単管４０１Ａと縦に渡した単管４０１Ｂは、当然の結果として、単管１本分の直径の分だけ段差４０４ができる。これにそのままシート４００をゆがみ無く固定することは出来ない。従って、図３に示す従来のクランプである３−Ａの例では、段差がそのまま残って平坦に固定することが出来ない。３−Ｂの例では、段差があることに対応していないので、同様である。図５は、特許文献３に開示された従来のクランプの図であるが、単管側にあるくさび穴付き円板等の突出部が邪魔になってシートが平坦に張れないことに対応して、この突出部以上に単管から間隔を取るために、シートを取り付ける短パイプを間隔保持竿で取り付けたものであるが、これを単管につけた場合には、穴付き円板等の突出部が邪魔になることは回避できても、縦と横分の単管間の段差は、補えない。また、構成上も複雑で好ましくない。
【先行技術文献】
【特許文献】
【０００３】
【特許文献１】特開２０００−２２６９３４
【特許文献２】特開平１１−３１１０２９
【特許文献３】特開平１０−３０６５９２
【発明の概要】
【発明が解決しようとする課題】
【０００４】
本発明の課題は、工事現場等での騒音拡散防止、工具、機材の落下による事故防止などのために単管で組んだ足場や構造体に覆いとなるシートを、単管構造体の縦と横の段差を補って平坦にゆがみ無く固定可能な単管用シート固定クランプを提供することである。
【課題を解決するための手段】
【０００５】
本発明にかかる単管用シート固定クランプは、単管構造体の縦と横の単管直径に対応する段差を補う手段として、クランプ本体に備えたハト目穴を通す棹部の長さが、棒状体または第一の管状体と、これを内包する第二の管状体があって、一方が他方に対してスライドし段差の差分だけ伸縮自在の手段を用いている。
以下説明する。
【０００６】
請求項１記載の発明は、単管用シート固定クランプであって、
単管の凸曲面に対応した凹曲面を有する２枚のアームが１つの支点にある支持ピンを中心に動き、前記２枚のアームで前記単管を挟んで、前記アームを固定するための固定具を前記のアームの前記支点側とは反対側の先端に有するクランプ本体と、前記単管の凸曲面に直角な方向に伸びるように前記クランプ本体に接続し、前記シートを平坦に固定するためであって、長さの調節が可能なように、棒状体または第一の管状体と、これを内包する第二の管状体を有することで、前記棒状体または第一の管状体と前記第二の管状体が相互に自由に摺動するようにした第一の棹部と、
前記クランプ本体と接続する側とは反対の第一の棹部の先端に延設するように１つの端で接続または一体化した第二の棹部と第二の棹部からその軸方向とは直角方向に広がった第一の鍔状部と、
第二の棹部の前記１つの端とは反対側の端に接続しまたは一体化した第三の棹部と、且つ、前記シートを押さえ支持するシート把持部とを有するシート押さえ具と、
を有することを特徴とする。
【０００７】
請求項２記載の発明は、請求項１記載の単管用シート固定クランプにおいて、第二の棹部は、前記棒状体または第一の管状体と第二の管状体の相互間を縮小又は引張するように第一のバネ体を備えたことを特徴とする。
【０００８】
請求項３記載の発明は、請求項１又は請求項２記載の単管用シート固定クランプにおいて、第一の棹部は、前記棒状体または第一の管状体と前記第二の管状体が相互間に自由に摺動し、所定の長さで摺動を止め固定できるために、前記棒状体または第一の管状体と前記第二の管状体の相互間に凹凸噛み合部又は、前記相互間を押し付ける押し圧固定具を有することを特徴とする。
【０００９】
請求項４記載の発明は、請求項１から請求項３のいずれか１つに記載の単管用シート固定クランプにおいて、
第三の棹部を内包する第三の管状体と第三の管状体からその軸方向とは直角方向に広がった第二の鍔状部と、前記第三の管状体に挿入され、第三の棹部にたいする前記第三の管状体の移動を行わせるための第二のバネ体と、を備え、前記シート把持部は、前記第二の鍔状部との間で前記シートを押さえ支持するようにしたことを特徴とする。
【００１０】
請求項５記載の発明は、請求項１から請求項４のいずれか１つに記載の単管用シート固定クランプにおいて、前記シート押さえ具は、一方が第三の棹部と他方が前記シート把持部との二つの棒状体であり、前記二つの棒状体の一方は凹部、他方は凸部を有し、前記凹部に前記凸部がはまり、前記凹部と前記凸部の接触面に直角に支持した支点のまわりに前記凹部と前記凸部のうち一方が他方に対して回転折れる曲り、戻すことが可能な起伏ノブを有するか、又は、一方が先端にオスねじを有するボルトである第三の棹部と他方が前記シート把持部であって、前記オスねじに噛み合う、前記シートを押さえるよう閉め込むメスねじを有するナットであることを特徴とする。
【００１１】
請求項６記載の発明は、請求項１から請求項５のいずれか１つに記載の単管用シート固定クランプにおいて、先端にオスねじを有する前記起伏ノブと、前記オスねじに噛み合うメスねじを有しネジ嵌合するキャップとを有し、前記起伏ノブが直角に折り曲がった状態で前記キャップを締めこむか、
又は、前記凹部と前記凸部の接触面の一部に、一方には曲面を有して突出した盛り上がり部、他方は前記曲面を包むよう凹んだ穴部を有し、前記起伏ノブが直角に折り曲がった状態で前記盛り上がり部が前記穴部にはまりこむか、
で前記起伏ノブが緩むことが無く固定されることを特徴とする。
【発明の効果】
【００１２】
以上の様に構成されているので、本発明の単管用シート固定クランプでは、単管構造体の縦と横の単管直径に対応する段差を補って平坦にゆがみ無くシートを固定することが可能となる。
【図面の簡単な説明】
【００１３】
【図１】本発明にかかる単管用シート固定クランプの一実施態様を示す図である。
【図２】本発明にかかる単管用シート固定クランプの別の一実施態様を示す図である。
【図３】従来の単管用シート固定クランプを示す図である。
【図４】単管構造体とこれにシートを固定した状態を示す図である。
【図５】従来のシート固定クランプの図である。
【図６】本発明による単管用シート固定クランプの全体を説明する図である。
【図７】本発明の単管用シート固定クランプの一実施態様である。
【発明を実施するための形態】
【００１４】
発明を実施するための形態として、単管構造体の縦と横の単管直径に対応する段差を補う手段として、クランプ本体に備えたハト目穴を通す棹部の長さが、段差の差分だけ違えたものであり、その手段として、１つ目は、棹部の長さそのものを段差の差分だけ違えた二種の単管用シート固定クランプとするものであり、二つ目は、一種の単管用シート固定クランプで棹部の長さが段差の差分だけ伸縮自在になったものである。又、両者の手段を合わせ持つ構成も可能である。以下に実施態様をもって説明する。
【実施例】
【００１５】
図１は、本発明にかかる単管用シート固定クランプの一実施態様を示す図である。１−Ａでは、縦渡しの単管と横渡しの単管の構造体の段差に対応するため、二組の単管用シート固定クランプが示されている。両者とも、単管に絡み固定されるクランプ本体１０１があり、クランプ本体外面１０２に接続してハト目穴を通す第一の棹部１０３Ａ、１０３Ｂを有している。第一の棹部１０３Ａ、１０３Ｂの先端には、起伏ノブ１０４Ａ、１０４Ｂがあって、直角に折れ、戻すことが可能である。起伏ノブは、１−Ｄ、１−Ｅ、１−Ｆと同じなので後述する。第一の棹部１０３Ａ、１０３Ｂにハト目穴を通し、起伏ノブ１０４Ａ、１０４Ｂを直角に起こすとシートが固定される。二組の単管用シート固定クランプでの第一の棹部１０３Ａ、１０３Ｂは、縦渡しの単管と横渡しの単管の構造体の段差分の長さだけ違っている。このため、シートのハト目穴は、段差を解消して略平坦な状態で固定することができる。
【００１６】
１−Ｂでは、１つの単管用シート固定クランプでありながら、クランプ本体１０１のクランプ本体外面１０２に接続してハト目穴を通す第一の棹部１０３があり、第一の棹部１０３の先端には、起伏ノブ１０４があって、直角に折れ、戻すことが可能である。起伏ノブ１０４については、１−Ｄ、１−Ｅ、１−Ｆの説明で後述する。第一の棹部１０３の先端には、シートを押さえる鍔状部１０５があり、第一の棹部１０３の長さが自由に変わる事で、鍔状部１０５とクランプ本体外面１０２との間隔が自由に変わるように可動状態になっていることは、以下のようにして実現されている。
第一の棹部１０３は、棒状体または第一の管状体と、これを内包する第二の管状体を有しているので、棒状体または第一の管状体と第二の管状体は相互間に自由に摺動することが可能である。
鍔状部１０５は、前記クランプ本体と接続する側とは反対の第一の棹部の先端に延設するように１つの端で接続または一体化した第二の棹部があり、第二の棹部からその軸方向とは直角方向に鍔状に広がったものである。
第二の棹部には、バネ体１０６が挿入され、前記クランプ本体外面１０２と鍔状部１０５の間にあって、両者を押し付けて、または引っ張ることで、両者の間隔を可変のものとしている。従って、鍔状部１０５が自由に位置が変わるので、段差を解消してシートを押さえることが出来る。
尚、第二の棹部の端に接続しまたは一体化した第三の棹部と、且つ、前記シートを押さえ支持するシート把持部とを有するシート押さえ具があり、シート押さえ具の一形態である起伏ノブ１０４は、１―Ｄ、１−Ｅ、１−Ｆにおいて説明する。
【００１７】
１−Ｃでは、１−Ａと１−Ｂの両方の手段を備えたもので、縦渡しの単管と横渡しの単管の構造体の段差に対応する第一の棹部１０３Ａ、１０３Ｂの長さになっていて、更に少しの長さの調整が可能なようにバネ体１０６Ａ、１０６Ｂがあって、第一の棹部１０３Ａ、１０３Ｂの長さが変わるようになっている。
【００１８】
１―Ｄ、１−Ｅ、１−Ｆにおいては、起伏ノブの種々の形状を示している。１−Ｄでは、起伏ノブは、第三の棹部１０３Ｃと、折り込みが可能なシート把持部１０４Ｃを有し、シート把持部１０４Ｃがある側とは反対側の第三の棹部１０３Ｃの端には、第二の棹部に取り付けるネジ部１０７がある。勿論、第二の棹部と第三の棹部１０３Ｃが一体であれば、ネジ部は必要ない。起伏ノブについて詳述すると、一方が第三の棹部と他方が前記シート把持部１０４Ｃとの二つの棒状体であり、前記二つの棒状体の一方は凹部、他方は凸部を有し、前記凹部に前記凸部がはまり、前記凹部と前記凸部の接触面に直角に支持した支点１０８のまわりに前記凹部と前記凸部のうち一方が他方に対して回転折れる曲り、戻すことが可能となっている。このようにして、起伏ノブは、シート把持部１０４Ｃが支点１０８の周りで、直角に折れ曲がることができる。
【００１９】
１−Ｅでは、１−Ｄのものの起伏ノブの先端にネジ嵌合するキャップ１０９があって、シート把持部１０４Ｃを直角に折り曲げたあと、キャップ１０９を締め込むとシート把持部１０４Ｃが折り曲げたまま固定され、緩むことが無くなる。シート把持部１０４Ｃの先端にオスねじを有し、キャップ１０９は、前記オスねじに噛み合うメスねじを有しネジ嵌合するので、前記シート把持部が直角に折り曲がった状態で前記キャップを締めこむことで、キャップ１０９の先端が起伏ノブに堅く接触して、曲げ戻しが出来ない状態となり折り曲げたまま固定される。
【００２０】
１−Ｆでは、１−Ｄのものの第三の棹部１０３Ｃの先端部１１０とシート把持部１０４Ｃが、直角に折り曲がった状態で、凹凸結合部１１１で噛み合い、シート把持部１０４Ｃが固定され、緩むことが無くなるものである。１−Ｄにおいて起伏ノブは、一方が第三の棹部と他方が前記シート把持部１０４Ｃとの二つの棒状体であったが、その一方は凹部、他方は凸部を有し、前記凹部に前記凸部がはまり、前記凹部と前記凸部の接触面の一部に、一方には曲面を有して突出した盛り上がり部、他方は前記曲面を包むよう凹んだ穴部である前記凹凸結合部１１１が有って、前記シート把持部１０４Ｃが直角に折り曲がった状態で前記盛り上がり部が前記穴部にはまりこむようになっている。
【００２１】
図２は、本発明にかかる単管用シート固定クランプの別の一実施態様を示す図である。
２−Ａではクランプ本体２０１と、クランプ本体外面２０２に接続してハト目穴を通す棹部２０３Ａ、２０３Ｂを有している。棹部２０３Ａ、２０３Ｂは、第一の棹部に接続または一体化した第二の棹部があり、第二の棹部からその軸方向とは直角方向に鍔状に広がったものである。
棹部２０３Ａ、２０３Ｂの先端には、ネジ結合体２０４Ａ、２０４Ｂがあって、シートを固定するようになっている。前記の第二の棹部に接続または一体化し、一方が先端にオスねじを有するボルトである第三の棹部と他方が前記シート把持部であって、前記オスねじに噛み合い、前記シートを押さえるよう閉め込むメスねじを有するナットであるネジ結合体２０４Ａ、２０４Ｂを有している。棹部２０３Ａ、２０３Ｂの長さは、縦渡しの単管と横渡しの単管の構造体の段差に対応した差異を有している。
【００２２】
２−Ｂにおいては、１個のクランプで、クランプ本体２０１のクランプ本体外面２０２に接続してハト目穴を通す棹部２０３とその先端にネジ結合体２０４を有しているが、棹部２０３は、第一の棹部に接続または一体化した第二の棹部があり、第二の棹部は鍔状部を有し、鍔状部は、第二の棹部からその軸方向とは直角方向に鍔状に広がったものである。第二の棹部の鍔状部からクランプ本体外面２０２に掛けてバネ体２０６があり、第一の棹部が伸縮する。伸縮する第一の棹部は、図６の６−１Ａ、第二の棹部は６−２Ａ、または６−２Ｂに説明する。このようにして、縦渡しの単管と横渡しの単管の構造体の段差に対応した差異程度は調節できるようになっている。そのため、縦と横の単管に１種のクランプで対応できる。尚、図１の１−Ｂとの違いは、起伏ノブがネジ結合体に変わっているのみで、その他は同じである。
【００２３】
図１から図２の例では、本発明の単管用シート固定クランプの例を各部の組み合わせで説明したが、各部の組み合わせは自由となり、記述された例に留まらない。
図６を用いて、本発明の全体を纏めて組み合わせの自由度について説明する。クランプ本体については、説明を省略して、それ以外を説明する。図６は、本発明による単管用シート固定クランプの全体を説明する図である。
６−１Ａには、第一の棹部６００を示している。第一の棹部６００は、棒状体または第一の管状体６０１と、これを内包する第二の管状体６０２を有しているので、棒状体または第一の管状体６０１と第二の管状体６０２は相互間に自由に摺動することが可能である。
更に、第一の棹部６００は、以下の手段を有することも可能であった。前記棒状体または第一の管状体６０１と前記第二の管状体６０２が相互間に自由に摺動し、前記段差分に相当する長さで摺動を止め固定できるために、前記棒状体または第一の管状体６０１と前記第二の管状体６０２の相互間に凹凸噛み合部又は、前記相互間を押し付ける押し圧固定具を有するものであった。これを６−１Ｂ、６−１Ｃで説明する。
【００２４】
６−１Ｂにおいて、棒状体または第一の管状体６０１と第二の管状体６０２のいずれかに一方には、摺動のためのガイドピン６０３が付いていて、他方の側には、このガイドピン６０３が嵌る摺動溝６０４がある。摺動溝６０４の適当な箇所には、ガイドピン６０３が摺動溝６０４から離れて嵌りこむ嵌り溝６０５があって、この嵌り溝６０５の位置により段差分に相当する長さの調節が可能となっている。ガイドピン６０３は、棒状体または第一の管状体６０１と第二の管状体６０２の内側でも外側にあっても両方可能である。
内側にあるときは、第二の管状体６０２の内側にあることになり、内包された棒状体または第一の管状体６０１に摺動溝６０４と嵌り溝６０５が形成され、外側にあるときは、棒状体または第一の管状体６０１の外側にあることになり、第二の管状体６０２に摺動溝６０４と嵌り溝６０５が形成される。
【００２５】
６−１Ｃにおいて、棒状体または第一の管状体６０１と第二の管状体６０２のいずれかに一方には、固定のためのネジ等のピン６０６があり、他方には適当な間隔でピン６０６が嵌る穴部６０７が付いている。穴部６０７の位置で段差分に相当する長さの調節が可能となっている。
６−２Ａには、第二の棹部６１０を示している。第二の棹部６１０は、第一の棹部６００の先端に延設するように１つの端で接続または一体化する第二棹接続部６１１と鍔状部６１２を有し、鍔状部６１２は、第二棹接続部６１１からその軸方向とは直角方向に鍔状に広がった形状を有している。
尚、６−２Ｂにおいて、バネ体６１３が、第二の棹部６１０で鍔状部６１２とクランプ本体側の間に配置されると、第一の棹部６００がバネ体による押圧、引張を受けて伸縮可能となる。バネ体６１３は、第二の棹部に嵌って鍔状部６１２に接触するようになる。
６−３Ａには、シート押さえ具６２０を示している。シート押さえ具６２０は、
第二の棹部６１０の端に接続しまたは一体化する第三の棹部６２１と、第三の棹部６２１の先端にあって、シートを押さえ支持するシート把持部６２２とを有する。シート押さえ具６２０の形態として、６−３Ａに起伏ノブタイプと６−３Ｂにネジ結合体タイプの二つの形態を示した。
【００２６】
６−３Ａにおいて、起伏ノブタイプでは、一方が第三の棹部６２１と他方が前記シート把持部６２２との二つの棒状体であり、前記二つの棒状体の一方は凹部６２３、他方は凸部６２４を有し、前記凹部６２３に前記凸部６２４がはまり、前記凹部６２３と前記凸部６２４の接触面に直角に支持した支点６２５のまわりに前記凹部６２３と前記凸部６２４のうち一方が他方に対して回転折れる曲り、戻すことが可能となっているものであった。
【００２７】
６−３Ｂにおいて、ネジ結合体タイプでは、前記の第二の棹部６１０に接続または一体化し、一方が先端にオスねじ６３１を有するボルト６３２である第三の棹部６２１と他方が前記シート把持部６２２であって、前記オスねじ６３１に噛み合い、前記シートを押さえるよう閉め込むメスねじ６３３を有するナット６３４であった。
更に、起伏ノブを直角に折り曲がった状態で固定する手段の例として、６−３Ｃにキャップタイプと６−３Ｄに凹凸結合部タイプの二つを記述した。
【００２８】
６−３Ｃにおいて、キャップタイプは、シート把持部６２２の先端にあるオスねじ６３５に噛み合うメスねじ６３６を有しネジ嵌合するキャップ６３７を有するので、前記シート把持部６２２が直角に折り曲がった状態で前記キャップ６３７を締めこむことで、キャップ６３７の先端が起伏ノブ６３８に堅く接触して、曲げ戻しが出来ない状態となり折り曲げたまま固定されるものであった。
【００２９】
６−３Ｄにおいて、凹凸結合部タイプは、起伏ノブ６３８が第三の棹部６２１と他方が前記シート把持部との二つの棒状体であり、その一方は凹部６２３、他方は凸部６２４を有し、前記凹部６２３に前記凸部６２４がはまり、前記凹部６２３と前記凸部６２４の接触面の一部に、一方には曲面を有して突出した盛り上がり部６４０、他方は前記曲面を包むよう凹んだ穴部６４１があって、前記前記シート把持部６２２が直角に折り曲がった状態で前記盛り上がり部６４０が前記穴部６４１に嵌りこむようになっているものであった。
ここでは、二つの平板６４２が凸部６２４の対応する間隔をおいて平行して配置され、その間隔が凹部６２３を形成している。分かりやすくするため、下側の平板６４２と凹部６２３のみ示すと、凹部６２３には、盛り上がり部６４０が付いていて、下側の平板６４２には、穴部６４１が付いている。盛り上がり部６４０と穴部６４１はどちら側についていても良い。
【００３０】
６−３Ｅには、第三の棹部６２１を内包する第三の管状体６５０と第二の鍔状部６５１を示している。
第三の棹部６２１を内包する第三の管状体６５０と第三の管状体６５０からその軸方向とは直角方向に広がった第二の鍔状部６５１と、前記第三の管状体６５０に挿入され、第三の棹部６２１にたいする前記第三の管状体６５０の移動を行わせるためのバネ体６５２と、を備え、前記シート把持部６２２は、前記第二の鍔状部６５１との間で前記シートを押さえ支持するようにしたものであった。これにより、第三の棹部６２１をバネ体６５２により、シートを押し付け平坦な支持を可能とした。
図１、図２ではその一部の組み合わせを示したが、以上説明した各部を自由に組み合わせて構成することが可能である。
【００３１】
図７は、本発明の単管用シート固定クランプの一実施態様である。図６の組み合わせの一例を単管クランプ本体は省略して示している。
第一の棹部は６−１Ａ、第二の棹部は６−２Ｂ、第三の棹部は６−３Ｅ、シート把持部は、６−３Ｃである組み合わせに対応している。
【００３２】
尚、縦と横に組まれる前記単管に生ずる前記単管の直径分に相当する段差分を解消する目的を中心に記述したが、種類を問わず単管構造体にできた段差に対応して利用でき、シートを平坦に張ることが出来ることは言うまでもない。
【産業上の利用可能性】
【００３３】
以上のような単管用シート固定クランプであるので、縦渡しの単管と横渡しの単管の構造体の段差に対応でき、シートを平坦に緩み無く固定することができるので、好都合であり、産業上利用性が極めて大きい。
【符号の説明】
【００３４】
１０１、２０１、３０１  クランプ本体
１０２、２０２、３０２  クランプ本体外面
１０３、１０３Ａ、１０３Ｂ、６００  第一の棹部
２０３、２０３Ａ、２０３Ｂ  棹部
１０３Ｃ  第三の棹部
１０４、１０４Ａ、１０４Ｂ、６３８  起伏ノブ
１０４Ｃ  シート把持部
１０５、６１２  鍔状部
１０６、１０６Ａ、１０６Ｂ、２０６、６１３、６５２  バネ体
１０７  ネジ部
１０８、６２５  支点
１０９  キャップ
１１０  先端部
１１１  凹凸結合部
２０４、２０４Ａ、２０４Ｂ  ネジ結合体
３０３  Ｌ字型のフック
３０４  突杆
３０５  係止片
４００  シート
４０１Ａ、４０１Ｂ  単管
４０２Ａ、４０２Ｂ  固定具
４０３  ハト目穴
４０４  段差
６０１  第一の管状体
６０２  第二の管状体
６０３  ガイドピン
６０４  摺動溝
６０５  嵌り溝
６０６  ピン
６０７、６４１  穴部
６１０  第二の棹部
６１１  第二棹接続部
６２０  シート押さえ具
６２１  第三の棹部
６２２  シート把持部
６２３  凹部
６２４  凸部
６３１、６３５  オスねじ
６３２  ボルト
６３３、６３６  メスねじ
６３４  ナット
６３７  キャップ
６４０  盛り上がり部
６４２  平板
６５０  第三の管状体
６５１  第二の鍔状部

【図１】
2010196302.tif 000003
【図２】
2010196302.tif 000004
【図３】
2010196302.tif 000005
【図４】
2010196302.tif 000006
【図５】
2010196302.tif 000007
【図７】
2010196302.tif 000008
【図６】
2010196302.tif 000009